(57)【要約】【課題】ＣＣＦＬを用いた液晶表示装置にて、ＪＩＳの安全色を表示するカラーフィルタ、液晶表示装置を提供する。【解決手段】赤（Ｒ）、緑（Ｇ）、青（Ｂ）、黄（Ｙ）の着色画素で構成されるカラーフィルタで、赤色の６００ｎｍでの透過率が６０％〜８０％、６５０ｎｍでの透過率が８０％〜９８％で、緑色の４５０ｎｍでの透過率が５５％以下、５２５ｎｍでの透過率が６３％〜９５％、６５０ｎｍでの透過率が１０％以下で、青色の４５０ｎｍでの透過率が５８％〜９３％、６００ｎｍでの透過率が１５％で、黄色の５００ｎｍでの透過率が２８％以下、６５０ｎｍでの透過率が９３％以上である。【選択図】図４
2008286827.tif 000002
【特許請求の範囲】
【請求項１】
三原色である赤（Ｒ）、緑（Ｇ）、青（Ｂ）と、黄（Ｙ）の着色画素で構成される液晶表示装置用カラーフィルタであって、赤色画素の波長６００ｎｍにおける透過率が６０％〜８０％、且つ波長６５０ｎｍにおける透過率が８０％〜９８％であり、緑色画素の波長４５０ｎｍにおける透過率が５５％以下、波長５２５ｎｍにおける透過率が６３％〜９５％、且つ波長６５０ｎｍにおける透過率が１０％以下であり、青色画素の波長４５０ｎｍにおける透過率が５８％〜９３％、且つ波長６００ｎｍにおける透過率が１５％以下であり、黄色画素の波長５００ｎｍにおける透過率が２８％以下、且つ波長６５０ｎｍにおける透過率が９３％以上であることを特徴とする液晶表示装置用カラーフィルタ。
【請求項２】
ＣＣＦＬをバックライトの光源として用い、請求項１記載の液晶表示装置用カラーフィルタを色再現のカラーフィルタとして用いたことを特徴とする液晶表示装置。
【請求項３】
請求項２記載の液晶表示装置において、下記表１に示す色度座標の範囲内の各安全色を表示することを特徴とする液晶表示装置。
【表１】
2008286827.tif 000008
【発明の詳細な説明】
【技術分野】
【０００１】
本発明は、マトリックス型の液晶表示装置に関するものであり、特に、光源としてＣＣＦＬを用いた際にＪＩＳ−Ｚ９１０３−１９９５に規定されている安全色を表示することのできる液晶表示装置用カラーフィルタ及び液晶表示装置に関する。
【背景技術】
【０００２】
液晶表示装置は自発光型の表示装置ではないので、その表示には他からの光を必要とし、例えば、その後方にバックライトを設け、後方からの光によって表示を行っている。このような透過型の液晶表示装置においては、その後方に設けられたバックライトからの白色光はカラーフィルタを透過して色光となり、観視される液晶表示装置の前方外部へ射出されるようになっている。
【０００３】
この直視する透過型の液晶表示装置のカラー表示は、デジタル表示計器などで用いられているセグメント型の液晶表示装置においては、例えば、光シャッタとしての液晶表示素子の外側に、セグメント電極に対応した形状に特定の色のカラーフィルタパターンを設け、各セグメント部分の形状を各特定の色に表示するようにしてカラー表示を行っている。このセグメント型の液晶表示装置が表示する各特定の色の色度、明度などは、バックライトの発光スペクトル、上記特定の色のカラーフィルタの分光透過率、及び液晶の電気光学特性によってほぼ定まる。
【０００４】
また、ノートＰＣや、カラーＴＶなどに広く用いられているマトリックス型の液晶表示装置においては、任意の文字や画像が表示できるように、画素電極が水平及び垂直方向に規則的に多数配列されており、この画素電極に対応し、光の三原色である赤（Ｒ）、緑（Ｇ）、青（Ｂ）のカラーフィルタの画素を規則的に液晶表示素子の内側に設け、フルカラーのカラー表示を行っている。
【０００５】
この画素の細分化が十分になされていれば、ある一定距離以上離れてみると、目の分解能を超えるため赤（Ｒ）、緑（Ｇ）、青（Ｂ）の各々の色として認識されず、混合した色として認識される。
すなわち、マトリックス型の液晶表示装置においては、赤（Ｒ）、緑（Ｇ）、青（Ｂ）の三画素を用いて、それぞれ空間的に混合することによって、任意の文字や画像の中間色を表示している。所謂、並置加法混色によってカラー表示を行っている。
【０００６】
このマトリックス型の液晶表示装置では、光源であるバックライトとして、一般に白色光源が用いられている。液晶表示素子を無彩色の白黒シャッターとして機能させ、各画素の白黒シャッターの開閉の度合いを電気的に制御することによって、各画素の透過光量を変化させ中間調を表現し、フルカラーのカラー表示を行っている。
このマトリックス型の液晶表示装置の色再現域、明度、白表示時の色温度などは、バックライトの発光スペクトル、赤（Ｒ）、緑（Ｇ）、青（Ｂ）のカラーフィルタの分光透過率、及び液晶の電気光学特性によってほぼ定まるものである。
【０００７】
バックライトの光源としては、演色性に優れたＣＣＦＬ（Ｃｏｌｄ  Ｃａｔｈｏｄｅ  Ｆｌｕｏｒｅｓｃｎｔ  Ｌａｍｐ、冷陰極蛍光ランプ）が広く用いられ、またカラーフィルタとしては、耐熱性、耐光性などに優れた顔料分散型カラーフィルタが広く用いられている。
近年、青色発光のＬＥＤ（Ｌｉｇｈｔ  Ｅｍｉｔｔｉｎｇ  Ｄｉｏｄｅ）の輝度が大幅に改善され、ＣＣＦＬに代わり、演色性に優れ彩度が高いＬＥＤが液晶表示装置のバックラ
イトの光源として使用され始めた。
このＬＥＤは、また、消費電力が少なく、軽量・小型といった長所を有しており、例えば、携帯電話用液晶表示装置のバックライトの光源として、青色発光のＬＥＤと黄色発光の蛍光体とを組み合わせたタイプの疑似白色ＬＥＤが実用されている。
【０００８】
扨、表２は、ＪＩＳ−Ｚ９１０３−１９９５に規定されている安全色の内、透過光に関する基準色の色度座標を表したものであり、また、表３は、その基準色を用いて製品を製造する際の色を許容する色度座標の範囲を表したものである。
また、図１は、該当する色の種類の内、赤を事例として赤の基準色の色度座標、及び色度座標の範囲を色度図上に表したものである。
【０００９】
【表２】
2008286827.tif 000003
【００１０】
【表３】
2008286827.tif 000004
安全色とは、安全標識や安全表示に使用する際に、安全に関する意味が明確に与えられている有彩色のことである。安全標識は、文字、図形、記号、イラストの組み合わせによって安全を表現した平面板であり、この安全色を用いることによって、安全に関する警告、指示、及び情報が一目で分かるようにしたものである。
【００１１】
このような安全色を透過型の液晶表示装置によって表示しようとした際に、前記セグメント型の液晶表示装置においては、例えば、ＣＣＦＬ、或いは疑似白色ＬＥＤをバックライトとして用い、また、セグメントの形状を上記文字、図形などにして、安全色を表示するように、セグメントの特定の色を安全色に設定したカラーフィルタを用いることによって、表２に示す安全色の各色（色の種類、全６色）を容易に表示することができる。
【００１２】
しかしながら、前記マトリックス型の液晶表示装置においては、任意に設定できる特定の色ではなく、規則的に多数配列された赤（Ｒ）、緑（Ｇ）、青（Ｂ）の三原色の画素を用いて上記文字、図形などを表示しているため、その色再現域内に安全色の全６色のすべてを収め表示することは困難なことである。          
【００１３】
図２は、液晶表示装置のバックライトの光源として実用されている疑似白色ＬＥＤの一例の発光スペクトルを示したものである。この疑似白色ＬＥＤを構成する青色ＬＥＤの材料としては、主にＩｎＧａＮが用いられ、また黄色蛍光体の材料としては、ＹＡＧ（Ｙｔｔｒｉｕｍ  Ａｌｕｍｉｎｕｍ  Ｇａｒｎｅｔ）が用いられている。
この疑似白色ＬＥＤは、青色ＬＥＤに蛍光体を塗布し、青色光で蛍光体を励起させて黄色光とし、この黄色光と青色光との混色により白色光になるようにしている。
【００１４】
図２に示すように、この疑似白色ＬＥＤは、波長４７０ｎｍ近辺に青色発光の主波長を有し、波長５７０ｎｍ近辺に黄色発光の主波長を有し、この混色により白色が得られる。この疑似白色ＬＥＤの色度座標はＷｘ＝０．３０５、Ｗｙ＝０．３０８であり、色温度は７２００Ｋ程度である。
【００１５】
また、図３は、液晶表示装置用カラーフィルタとして用いられている顔料分散型カラーフィルタの一例の分光透過率を示したものである。この一例として示す顔料分散型カラーフィルタは、安全色を表示する際に好ましい性能を有するものである。
【００１６】
図３に示すように、この液晶表示装置用カラーフィルタを構成する赤色画素は、波長６００ｎｍにおいて透過率８５％程度、且つ波長６５０ｎｍにおいて透過率８８％程度であり、緑色画素は、波長４５０ｎｍにおいて透過率１％程度、波長５２５ｎｍにおいて透過率８５％程度、且つ波長６５０ｎｍにおいて透過率３％程度、また、青色画素は、波長４
５０ｎｍにおいて透過率８５％程度、且つ波長６００ｎｍにおいて透過率０％程度のものである。
【００１７】
【表４】
2008286827.tif 000005
図２に示す疑似白色ＬＥＤをバックライトの光源とし、図３に示す液晶表示装置用カラーフィルタを色再現のカラーフィルタとして用いた液晶表示装置の性能は、表４に示すようなものとなる。
すなわち、図１に、表４中の赤の色度座標（ｘ：０．６１４、ｙ：０．３４９）を△印にて例示するように、前記ＪＩＳ−Ｚ９１０３で規定される安全色の色度座標の範囲内にはない。
【特許文献１】特開２００５−１３４５０８号公報
【非特許文献１】ＪＩＳ−Ｚ９１０３−１９９５
【発明の開示】
【発明が解決しようとする課題】
【００１８】
本発明は、上記問題に鑑みてなされたものであり、バックライトの光源としてＣＣＦＬを用いたマトリックス型の液晶表示装置において、ＪＩＳ−Ｚ９１０３−１９９５で規定される安全色の全６色のすべてを表示することのできる液晶表示装置用カラーフィルタを提供することを課題とするものである。
また、本発明は、上記安全色を表示することのできる液晶表示装置を提供することを課題とする。
【課題を解決するための手段】
【００１９】
本発明は、三原色である赤（Ｒ）、緑（Ｇ）、青（Ｂ）と、黄（Ｙ）の着色画素で構成される液晶表示装置用カラーフィルタであって、赤色画素の波長６００ｎｍにおける透過率が６０％〜８０％、且つ波長６５０ｎｍにおける透過率が８０％〜９８％であり、緑色画素の波長４５０ｎｍにおける透過率が５５％以下、波長５２５ｎｍにおける透過率が６３％〜９５％、且つ波長６５０ｎｍにおける透過率が１０％以下であり、青色画素の波長４５０ｎｍにおける透過率が５８％〜９３％、且つ波長６００ｎｍにおける透過率が１５％以下であり、黄色画素の波長５００ｎｍにおける透過率が２８％以下、且つ波長６５０ｎｍにおける透過率が９３％以上であることを特徴とする液晶表示装置用カラーフィルタである。
【００２０】
また、本発明は、ＣＣＦＬをバックライトの光源として用い、請求項１記載の液晶表示装置用カラーフィルタを色再現のカラーフィルタとして用いたことを特徴とする液晶表示装置である。
【００２１】
また、本発明は、請求項２記載の液晶表示装置において、下記表５に示す色度座標の範囲内の各安全色を表示することを特徴とする液晶表示装置である。
【００２２】
【表５】
2008286827.tif 000006
【発明の効果】
【００２３】
本発明は、赤色画素の波長６００ｎｍにおける透過率が６０％〜８０％、且つ波長６５０ｎｍにおける透過率が８０％〜９８％であり、緑色画素の波長４５０ｎｍにおける透過率が５５％以下、波長５２５ｎｍにおける透過率が６３％〜９５％、且つ波長６５０ｎｍにおける透過率が１０％以下であり、青色画素の波長４５０ｎｍにおける透過率が５８％〜９３％、且つ波長６００ｎｍにおける透過率が１５％以下であり、黄色画素の波長５０
０ｎｍにおける透過率が２８％以下、且つ波長６５０ｎｍにおける透過率が９３％以上である液晶表示装置用カラーフィルタであるので、バックライトの光源としてＣＣＦＬを用いたマトリックス型の液晶表示装置において、ＪＩＳ−Ｚ９１０３−１９９５で規定される安全色の全６色のすべてを表示することのできる液晶表示装置用カラーフィルタとなる。
【００２４】
また、本発明は、ＣＣＦＬをバックライトの光源として用い、上記液晶表示装置用カラーフィルタを色再現のカラーフィルタとして用いた液晶表示装置であるので、ＪＩＳ−Ｚ９１０３−１９９５で規定される安全色の全６色のすべてを表示することのできる液晶表示装置となる。
【発明を実施するための最良の形態】
【００２５】
以下に、本発明の実施の形態を詳細に説明する。
図４は、本発明による液晶表示装置用カラーフィルタの一実施例の分光透過率を示したものである。
図４に示すように、この液晶表示装置用カラーフィルタを構成する赤色画素の波長６００ｎｍにおける透過率は６９％程度、且つ波長６５０ｎｍにおける透過率は９４％程度であり、緑色画素の波長４５０ｎｍにおける透過率が６％程度、波長５２５ｎｍにおける透過率が７２％程度、且つ波長６５０ｎｍにおける透過率が０％程度であり、青色画素の波長４５０ｎｍにおける透過率が６５％程度、且つ波長６００ｎｍにおける透過率が０％程度であり、黄色画素の波長５００ｎｍにおける透過率が１５％程度、且つ波長６５０ｎｍにおける透過率が９８％程度である。
【００２６】
このような液晶表示装置用カラーフィルタは、図３に示す分光透過率を有する赤色画素、緑色画素、青色画素を形成する際に用いる各色フォトレジストの顔料組成を基本組成とし、上記図４に示す分光透過率を具現させるため、上記基本組成における組成比の調整を行い、或いは好ましい顔料への変更を行うことによって得ることができる。
赤色画素においては、赤色画素の形成に用いる顔料分散型赤色フォトレジストを調製する際に、用いている数種類の赤色顔料と黄色顔料の組成比を調整し、赤色画素としての色純度を向上させ、黄色味を低減させたものとしている。
【００２７】
また、緑色画素においては、緑色画素の形成に用いる顔料分散型緑色フォトレジストを調製する際に、好ましい顔料への変更を行うことによって緑色画素としての色純度を向上させ、黄色味を低減させたものとしている。
【００２８】
また、青色画素においては、青色画素の形成に用いる顔料分散型青色フォトレジストを調製する際に、好ましい顔料への変更を行うことによって青色画素としての色純度を向上させたものとしている。
【００２９】
また、黄色画素においては、黄色画素の形成に用いる顔料分散型黄色フォトレジストを調製する際に、好ましい顔料への変更を行うことによって黄色画素としての色純度を向上させたものとしている。
【００３０】
図５は、本発明におけるＣＣＦＬの一例の発光スペクトルを示したものである。図５に示すように、このＣＣＦＬは、波長４３５ｎｍ近辺、波長５４５ｎｍ近辺、波長６１０ｎｍ近辺に各ＬＥＤの主波長を有している。
図５に示すＣＣＦＬをバックライトの光源とし、図４に示す液晶表示装置用カラーフィルタを色再現のカラーフィルタとして用いた液晶表示装置の性能は、表６に示すようなものとなる。
すなわち、図１に、表６中の赤の色度座標（ｘ：０．６３０、ｙ：０．３３０）を×印に
て例示するように、前記ＪＩＳ−Ｚ９１０３で規定される安全色の色度座標の範囲内にあり、安全色の全６色のすべてを表示することのできる液晶表示装置用カラーフィルタとなっている。
【００３１】
本発明に用いられるＣＣＦＬとしては、例えば、図５の発光スペクトルを有するＣＣＦＬが挙げられる。
【００３２】
【表６】
2008286827.tif 000007
【図面の簡単な説明】
【００３３】
【図１】ＪＩＳに規定されている安全色の内、赤の基準色の色度座標、及び色度座標の範囲を色度図上に表したものである。
【図２】液晶表示装置のバックライトの光源として実用されている疑似白色ＬＥＤの一例の発光スペクトルを示したものである。
【図３】顔料分散型カラーフィルタの一例の分光透過率を示したものである。
【図４】本発明による液晶表示装置用カラーフィルタの一実施例の分光透過率を示したものである。
【図５】本発明におけるＣＣＦＬの一例の発光スペクトルを示したものである。
【符号の説明】
【００３４】
Ｒ・・・赤色画素の分光透過率
Ｇ・・・緑色画素の分光透過率
Ｂ・・・青色画素の分光透過率
Ｙ・・・黄色画素の分光透過率
【図１】
2008286827.tif 000009
【図２】
2008286827.tif 000010
【図３】
2008286827.tif 000011
【図４】
2008286827.tif 000012
【図５】
2008286827.tif 000013